(57)【特許請求の範囲】
【請求項１】
トイレルーム内に設置された手洗鉢と、該手洗鉢に向って吐水する吐水器とを有する手洗装置であって、
該手洗鉢又は吐水器に発光体を備えた手洗装置において、
該手洗鉢は下側部材たるロータンク又はロータンクカバーの上部に着脱可能に設置されており、該手洗鉢に該吐水器が設置されており、
該手洗鉢と該下側部材とにそれぞれリード線が配線され、該手洗鉢を該下側部材に設置したときに該手洗鉢のリード線と該下側部材のリード線とを結合するための結合器が設けられていることを特徴とする手洗装置。
【請求項２】
トイレルーム内に設置された手洗鉢と、該手洗鉢に向って吐水する吐水器とを有する手洗装置であって、
該手洗鉢又は吐水器に発光体を備えた手洗装置において、
該手洗鉢は下側部材たるロータンク又はロータンクカバーの上部に着脱可能に設置されており、該手洗鉢に該吐水器が設置されており、
前記発光体は光ファイバーの先端部であり、
該手洗鉢と前記下側部材とにそれぞれ光ファイバーが配設され、該下側部材の光ファイバーの後端に光源が配置され、該下側部材の光ファイバーから該手洗鉢の光ファイバーに光が伝播されることを特徴とする手洗装置。
【発明の詳細な説明】
【０００１】
【発明の属する技術分野】
本発明はトイレルームに設置される手洗装置に係り、特に夜間などの使い勝手を良くした手洗装置に関する。
【０００２】
【従来の技術】
夜間などに用便のためにトイレルームに入室したときにトイレルーム内の照明が明るすぎると神経が刺激され眠気が乏しくなることがある。トイレルームのごく必要な部分だけ照明されるようにしておくことにより、このような不便が解消される。
【０００３】
特開平８−２８４２３２号には、温水洗浄装置にトイレルームの床面と便鉢内とを照明する照明装置を設けることが記載されている。
【０００４】
【発明が解決しようとする課題】
この特開平８−２８４２３２号のトイレルームによれば、トイレルーム本来の照明を点灯しなくても便器の使用は支障なく行えるようになるが、手洗鉢の使用には若干の不便があり、手洗い水が飛び散ったりし易い。
【０００５】
本発明は、夜間等にトイレルーム本来の照明を点灯しなくても手洗鉢を使用し易い手洗装置を提供することを目的とする。
【０００６】
【課題を解決するための手段】
本発明（請求項１）の手洗装置は、トイレルーム内に設置された手洗鉢と、該手洗鉢に向って吐水する吐水器とを有する手洗装置であって、該手洗鉢又は吐水器に発光体を備えた手洗装置において、該手洗鉢は下側部材たるロータンク又はロータンクカバーの上部に着脱可能に設置されており、該手洗鉢に該吐水器が設置されており、該手洗鉢と該下側部材とにそれぞれリード線が配線され、該手洗鉢を該下側部材に設置したときに該手洗鉢のリード線と該下側部材のリード線とを結合するための結合器が設けられていることを特徴とするものである。
【０００７】
かかる手洗装置は、発光体から発光させることにより手洗鉢や吐水器の位置を目視確認することができ、夜間等にトイレルーム本来の照明を点灯しなくても手洗鉢を使用し易い。
【０００８】
本発明の手洗装置は、手洗鉢がロータンク上あるいはロータンクカバー上に設置されている。これは、ロータンクやロータンクカバーは便器の後部に配置されており、便器使用者から少し離れているため、手を差し出して使用する必要があり、手洗い時に吐水器からの吐水が手から外れて飛散しがちであるからである。
【０００９】
本発明（請求項２）の手洗装置は、トイレルーム内に設置された手洗鉢と、該手洗鉢に向って吐水する吐水器とを有する手洗装置であって、該手洗鉢又は吐水器に発光体を備えた手洗装置において、該手洗鉢は下側部材たるロータンク又はロータンクカバーの上部に着脱可能に設置されており、該手洗鉢に該吐水器が設置されており、前記発光体は光ファイバーの先端部であり、該手洗鉢と前記下側部材とにそれぞれ光ファイバーが配設され、該下側部材の光ファイバーの後端に光源が配置され、該下側部材の光ファイバーから該手洗鉢の光ファイバーに光が伝播されることを特徴とするものである。
【００１０】
なお、光ファイバーは水が掛かったり断線したときでも漏電の恐れがないという長所を有する。
【００１１】
【発明の実施の形態】
以下、図面を参照して実施の形態について説明する。第１図は実施の形態に係る手洗装置を備えた洋風便器の斜視図、第２図は手洗鉢の断面図である。
【００１２】
洋風便器１の後部上面にロータンクカバー２が設置され、このロータンクカバー２の前部に便座３と便蓋４とが上下方向回動可能に取り付けられている。このロータンクカバー２の上側に手洗鉢５が設置されている。この手洗鉢５の後縁中央から上方に手洗吐水部６が立設され、この手洗吐水部６の先端側の下面に吐水口７が設けられている。
【００１３】
この手洗鉢５の上面の４個のコーナー部に発光部８が設けられると共に、手洗吐水部６の吐水口７の近傍にも発光部９が設けられている。
【００１４】
この実施の形態にあっては、ロータンクカバー２の両側面のうち前端側の下部にも発光部１０が設けられている。
【００１５】
手洗鉢５の排水口５ａの下方にロータンク１２が設置されている。このロータンク１２内に規定水位まで注水するようにボールタップ（図示略）が設けられている。このボールタップの１次側はフレキホース１５を介して止水栓１６へ接続されている。
【００１６】
ボールタップの２次側に吐水口７への給水用のチューブ１４が接続されている。このチューブ１４の先端は、ロータンク１２の後部から上方に立ち上がるように取付部１４ａによって該ロータンク１２の後部上縁に係止されている。
【００１７】
前記手洗吐水部６の吐水口７に給水接続管１３の先端が連結されている。この給水接続管１３の後端はチューブ１４の上端に対し、上方から着脱自在に嵌合している。
【００１８】
前記発光部８，９，１０にそれぞれ光ファイバー２０，２２，２６の先端が接続されている。該光ファイバー２０，２２は手洗鉢５内を引き回され、導光用カプラ２１に接続されている。導光用カプラ２１は導光用カプラ２３及び光ファイバー２４を介してＬＥＤ等を備えた光源２５から光が供給される。光源２５からは光ファイバー２６を介して発光部１０へも光が供給される。光源２５及び光ファイバー２６はロータンクカバー２内に配置されており、カプラ２３はロータンクカバー２の上部に設けられている。
【００１９】
なお、ロータンクカバー２内の電気機器に対しては、コンセント２９、プラグ２８及びコード２７を介して商用電源から給電される。
【００２０】
このように構成された手洗鉢５付きの洋風便器１にあっては、便器洗浄用ハンドル（図示略）を操作すると、洋風便器１の便鉢にロータンク１２から水が流されると共に、ボールタップが開栓してロータンク１２への注水と吐水口７からの吐水とが開始する。この手洗鉢５にあっては、吐水器８，９から光が投射されているので、トイレルーム内が暗い場合でも、手洗鉢５の位置と吐水口７からの吐水を目視確認して手洗いすることができる。従って、トイレルームの室内用照明を点灯しなくても、容易に手を洗うことができる。
【００２１】
第３図は別の実施の形態を示す分解斜視図である。ロータンクカバー４８の上側に手洗鉢４９が着脱自在に設置され、この手洗鉢４９の手洗吐水部取付部５０から上方にチューブ５１の先端が突出している。このチューブ５１が通過するようにリング状となった台座５２がこの取付部５０上に設置される。この台座５２に発光部５３が設けられている。台座５２上に吐水口５５を有した手洗吐水部５４が設置される。手洗吐水部５４及び台座５２はビス等によって手洗鉢４９に固定される。符号５６，５７はこのビスの挿通孔を示す。
【００２２】
台座５２の発光部５３に接続されたリード線５８は、手洗鉢４９内の下部のコネクタ５９Ａに接続されている。ロータンクカバー４８の上面に設けられたコネクタ５９Ｂと上記コネクタ５９Ａとが結合することにより、発光部５３へ通電が可能とされる。このコネクタ５９Ａ，５９Ｂは端子同士の接触により導通されるものであってもよく、電磁誘導によりリード線５８に給電するものであってもよい。
【００２３】
なお、上記実施の形態のいずれにおいても、照度センサと人体センサとを設け、暗いときに人体が検知されたときだけ発光部から光を照射するように構成するものが好ましい。
【００２４】
上記実施の形態はいずれも本発明の一例であり、本発明は上記以外の構成とされうる。例えば、発光部の数や配置は図示以外としてもよい。
【００２５】
【発明の効果】
以上の通り、本発明によると、トイレルームが暗いときでも手洗鉢を使用し易くなり、手洗い中に水を飛散させたり、これによって衣服を濡らしたりすることが防止される。
【図面の簡単な説明】
【図１】  実施の形態に係る手洗装置を備えた洋風便器の斜視図である。
【図２】  図１の手洗鉢部分の断面図である。
【図３】  実施の形態に係る発光部付き手洗鉢を示す斜視図である。
【符号の説明】
１  洋風便器
２  ロータンクカバー
５  手洗鉢
６  手洗吐水部
８，９，１０  発光部
１２  ロータンク
２０，２２，２４，２６  光ファイバー
２１，２３  導光用カプラ
２５  光源
４８  ロータンクカバー
４９  手洗鉢
５２  台座
５４  手洗吐水部
５９Ａ，５９Ｂ  コネクタ
【図１】
0003755379.tif 000002
【図２】
0003755379.tif 000003
【図３】
0003755379.tif 000004